(57)【要約】【課題】インクが付着して硬化することにより画像記録に悪影響を及ぼす部位におけるインク硬化を低減させて、正常な画像記録状態を維持することができるインクジェットプリンタとする。【解決手段】紫外線を照射することによって硬化するインクを記録媒体Ｐに吐出する吐出口が配置されたノズル面４ａを有する記録ヘッド４と、記録媒体上に吐出されたインクに対して紫外線を照射する紫外線照射装置７と、を備えるインクジェットプリンタ１である。ノズル面近傍に、照射される紫外線量に応じて変色するＵＶラベル９を貼り付けた。【選択図】図２
2005096276.tif 000002
【特許請求の範囲】
【請求項１】
紫外線を照射することによって硬化するインクを記録媒体に吐出する吐出口が配置されたノズル面を有する記録ヘッドと、
前記記録媒体上に吐出された前記インクに対して紫外線を照射する紫外線照射装置と、
を備えるインクジェットプリンタであって、
前記ノズル面近傍に、照射される紫外線量に応じて変色するＵＶラベルを貼り付けたことを特徴とするインクジェットプリンタ。
【請求項２】
請求項１に記載のインクジェットプリンタにおいて、
前記ＵＶラベルの色を検出可能なセンサと、
前記センサで検出されたＵＶラベルの色に応じて、自動的にメンテナンスユニットにヘッドメンテナンスを行わせるように制御する制御部と、
を備えることを特徴とするインクジェットプリンタ。
【請求項３】
請求項１又は２に記載のインクジェットプリンタにおいて、
前記ＵＶラベルが視認可能となっていることを特徴とするインクジェットプリンタ。
【請求項４】
請求項１〜３のいずれか一項に記載のインクジェットプリンタにおいて、
前記ＵＶラベルを、付着したインクの硬化により画像記録に影響を及ぼす前記ノズル面近傍以外の部位にも貼り付けたことを特徴とするインクジェットプリンタ。
【請求項５】
請求項１〜４のいずれか一項に記載のインクジェットプリンタにおいて、
前記紫外線照射装置の紫外線光源が、低圧水銀ランプ、高圧水銀ランプ、メタルハライドランプ、熱陰極管、冷陰極管、ＬＥＤのうちのいずれか１つであることを特徴とするインクジェットプリンタ。
【請求項６】
請求項１〜５のいずれか一項に記載のインクジェットプリンタにおいて、
前記インクは、カチオン重合性化合物を含むカチオン重合系の紫外線硬化型インクであることを特徴とするインクジェットプリンタ。
【発明の詳細な説明】
【技術分野】
【０００１】
本発明は、インクジェットプリンタに係り、特には紫外線を照射することによって硬化するインクを使用したインクジェットプリンタに関する。
【背景技術】
【０００２】
近年、インクジェット記録方式は、グラビア印刷方式より簡便・安価に画像を作成することができるため、写真・各種印刷・マーキング・カラーフィルターといった特殊印刷等の様々な印刷分野に応用されてきている。特に、インクジェット記録方式では、微細なドットを吐出・制御するインクジェット記録方式のインクジェットプリンタと、色再現域・耐久性・吐出適性等を改善したインクと、インク吸収性・色材発色性・表面光沢等を飛躍的に向上させた専用紙とを組み合わせることで、銀塩写真に匹敵する画質を得ることも可能となっている。
【０００３】
従来のインクジェットプリンタには、搬送方向に搬送される記録媒体上において搬送方向に対して直交する走査方向に並んだ複数の吐出口が形成されたラインヘッドからインクを吐出することにより画像記録を行うライン方式、キャリッジに搭載した記録ヘッドを走査方向に移動させて記録ヘッドの移動中に記録ヘッドの吐出口からインクを吐出することにより画像記録を行うシリアル方式がある。
【０００４】
また、インクジェットプリンタは、インクの種類で分類することができる。つまり、従来のインクジェットプリンタには、室温で固形のワックスインクを用いる相変化インクジェット方式、速乾性の有機溶剤を主体としたインクを用いるソルベント系インクジェット方式、紫外線の被照射により硬化する紫外線硬化型インクを用いる紫外線硬化型インクジェット方式等がある。中でも、紫外線硬化型インクジェット方式は、他の記録方式に比べ比較的低臭気であり、専用紙以外にも速乾性・インク吸収性の無い記録媒体に記録できる点で注目されている（例えば、特許文献１参照。）。
【特許文献１】特開２００１−３１０４５４号公報
【発明の開示】
【発明が解決しようとする課題】
【０００５】
ところで、前記紫外線硬化型インクを用いたインクジェットプリンタでは、紫外線を照射するとインクが硬化することから、吐出口が配置された記録ヘッドのノズル面にインクが付着して当該インクに紫外線、例えば紫外線照射装置から記録媒体に向けて照射された紫外線が記録媒体で反射した反射光等が当たるとインクが硬化してしまい、これによりインク吐出不良等を起こして、正常なインク吐出が行えなくなることがある。また、記録ヘッドのノズル面以外にも、メンテナンスユニット、ホームポジション領域、インク供給部等のインクが付着しやすい部位においては、紫外線照射によって、付着したインクが硬化してしまい、その結果、機能的に問題が生じる場合がある。
しかしながら、従来、このような問題についてはあまり検討されておらず、対策も不充分であった。
【０００６】
そこで、本発明の課題は、インクが付着して硬化することにより画像記録に悪影響を及ぼす部位におけるインク硬化を低減させて、正常な画像記録状態を維持することができるインクジェットプリンタを提供することを目的とする。
【課題を解決するための手段】
【０００７】
請求項１に記載の発明は、
紫外線を照射することによって硬化するインクを記録媒体に吐出する吐出口が配置されたノズル面を有する記録ヘッドと、
前記記録媒体上に吐出された前記インクに対して紫外線を照射する紫外線照射装置と、
を備えるインクジェットプリンタであって、
前記ノズル面近傍に、照射される紫外線量に応じて変色するＵＶラベルを貼り付けたことを特徴としている。
【０００８】
このように請求項１に記載の発明によれば、ノズル面近傍に、照射される紫外線量に応じて変色するＵＶラベルを貼り付けたため、ＵＶラベルの変色度合いでノズル面が受けた紫外線量を定量的に把握することができ、これにより、照射された紫外線がインクを完全に硬化させてしまう量になる前に、ヘッドメンテナンスを行って付着したインクを取り除くことができる。
【０００９】
請求項２に記載の発明は、請求項１に記載のインクジェットプリンタにおいて、
前記ＵＶラベルの色を検出可能なセンサと、
前記センサで検出されたＵＶラベルの色に応じて、自動的にメンテナンスユニットにヘッドメンテナンスを行わせるように制御する制御部と、
を備えることを特徴としている。
【００１０】
このように請求項２に記載の発明によれば、ＵＶラベルの色を検出可能なセンサと、センサで検出されたＵＶラベルの色に応じて、自動的にメンテナンスユニットにヘッドメンテナンスを行わせるように制御する制御部とを備えるため、ノズル面が受けた紫外線量が所定量に達すると自動的にヘッドメンテナンスを行い、付着したインクが完全に硬化してしまう前に、確実にインクを取り除くことができる。
【００１１】
請求項３に記載の発明は、請求項１又は２に記載のインクジェットプリンタにおいて、
前記ＵＶラベルが視認可能となっていることを特徴としている。
【００１２】
このように請求項３に記載の発明によれば、ＵＶラベルが視認可能となっているため、ユーザや機器メンテナンスを行う者が、ノズル面が受けた紫外線量を簡単に把握できるようになっている。これにより、ノズル面が受けた紫外線量が所定量に達したか否かを素早くかつ的確に判断することができ、紫外線量が所定量に達したと判断した場合にはすぐにヘッドメンテナンスを行うように操作すれば、付着したインクが完全に硬化してしまう前にインクを取り除くことができる。
【００１３】
請求項４に記載の発明は、請求項１〜３のいずれか一項に記載のインクジェットプリンタにおいて、
前記ＵＶラベルを、付着したインクの硬化により画像記録に影響を及ぼす前記ノズル面近傍以外の部位にも貼り付けたことを特徴としている。
【００１４】
このように請求項４に記載の発明によれば、ＵＶラベルを、付着したインクの硬化により画像記録に影響を及ぼすノズル面近傍以外の部位にも貼り付けたため、このような部位においても付着したインクが硬化しないように紫外線照射量を監視することができる。
【００１５】
請求項５に記載の発明は、請求項１〜４のいずれか一項に記載のインクジェットプリンタにおいて、
前記紫外線照射装置の紫外線光源が、低圧水銀ランプ、高圧水銀ランプ、メタルハライドランプ、熱陰極管、冷陰極管、ＬＥＤのうちのいずれか１つであることを特徴としている。
【００１６】
このように請求項５に記載の発明によれば、紫外線照射装置の紫外線光源として、低圧水銀ランプ、高圧水銀ランプ、メタルハライドランプ、熱陰極管、冷陰極管、ＬＥＤのうちのいずれか１つを用いることができ、インクジェットプリンタの構成等に応じて、種々の紫外線光源を適用可能とすることができる。
【００１７】
請求項６に記載の発明は、請求項１〜５のいずれか一項に記載のインクジェットプリンタにおいて、
前記インクは、カチオン重合性化合物を含むカチオン重合系の紫外線硬化型インクであることを特徴としている。
【００１８】
このように請求項６に記載の発明によれば、カチオン硬化性のインクはラジカル硬化性のインクに比べて、紫外線に対する感度が高く且つ酸素による重合反応の阻害が少ないので、記録媒体上に吐出されたインクの硬化に必要な照度を低減させることができる。
【発明の効果】
【００１９】
請求項１に記載の発明によれば、ＵＶラベルの変色度合いでノズル面が受けた紫外線量を定量的に把握することができ、これにより、照射された紫外線がインクを完全に硬化させてしまう量になる前に、ヘッドメンテナンスを行って付着したインクを取り除くことができるため、ノズル面におけるインク硬化を低減させて、正常な画像記録状態を維持することができる。
【００２０】
請求項２に記載の発明によれば、ノズル面が受けた紫外線量が所定量に達すると自動的にヘッドメンテナンスを行い、付着したインクが完全に硬化してしまう前に、確実にインクを取り除くことができるため、確実にノズル面におけるインク硬化を低減させて、正常な画像記録状態を維持することができる。
【００２１】
請求項３に記載の発明によれば、ユーザや機器メンテナンスを行う者が、ノズル面が受けた紫外線量が所定量に達したか否かを素早くかつ的確に判断することができ、紫外線量が所定量に達したと判断した場合にすぐにヘッドメンテナンスを行うように操作することにより付着したインクが完全に硬化してしまう前にインクを取り除くことができるため、手動でもノズル面におけるインク硬化を低減させて、正常な画像記録状態を維持することができる。
【００２２】
請求項４に記載の発明によれば、付着したインクの硬化により画像記録に影響を及ぼすノズル面以外の部位においても付着したインクが硬化しないように紫外線照射量を監視することができるため、さらに確実に正常な画像記録状態を維持することができる。
【００２３】
請求項５に記載の発明によれば、インクジェットプリンタの構成等に応じて、種々の紫外線光源を適用可能とすることができるため、汎用性が高くコスト的にも優れたインクジェットプリンタとすることができる。
【００２４】
請求項６に記載の発明によれば、カチオン硬化性のインクは低照度の紫外線で硬化することができるので、ドット径の小さい高品質、高精細の記録画像を得ることができる。
【発明を実施するための最良の形態】
【００２５】
以下、図面を参照しながら本発明に係るインクジェットプリンタの実施形態について説明する。ただし、発明の範囲は図示例に限定されるものではない。
【００２６】
まず図１及び図２を参照して、本発明の一実施形態のインクジェットプリンタの構成について説明する。図１は本発明の一実施形態のインクジェットプリンタの全体構成図であり、図２はインクジェットプリンタにおける記録ヘッド及び紫外線照射装置付近の拡大図である。
【００２７】
インクジェットプリンタ１は、シリアル方式のインクジェットプリンタであり、記録媒体Ｐに対してインクを吐出し、記録媒体Ｐ上に画像を記録するものである。インクジェットプリンタ１には、記録媒体搬送機構２０（図３に図示）が備わっており、この記録媒体搬送機構２０が搬送台２１上の記録媒体Ｐを、図１における記録領域Ｃを通過させながら主走査方向Ａと直交した副走査方向に搬送するようになっている。
【００２８】
記録領域Ｃの上方には、主走査方向Ａに沿って延在するキャリッジレール２が配置されていて、このキャリッジレール２には、キャリッジレール２によって案内されるキャリッジ３が移動自在に設けられている。
キャリッジ３は、記録媒体Ｐに対してインクを吐出する記録ヘッド４を搭載し、キャリッジレール２に沿ってホームポジション領域Ｂからメンテナンス領域Ｄにかけて主走査方向Ａに移動するようになっている。
また、記録ヘッド４における記録媒体Ｐと対向するノズル面４ａには、インクを吐出する多数のノズルの吐出口（図示省略）が配設されている。
【００２９】
本実施形態に係るインクジェットプリンタ１では、ブラック（Ｋ）、イエロー（Ｙ）、マゼンタ（Ｍ）、シアン（Ｃ）の４色のインクを吐出できるよう、合計で４個の記録ヘッド４がキャリッジ３に設置されている。本実施形態においては、４個の記録ヘッド４が主走査方向Ａに１列に配置されている。
これら各記録ヘッド４には、ブラック、イエロー、マゼンタ、シアンの各色のインクを貯蔵するインクタンク５が、それぞれインク供給管６を介して連結されている。つまり、インクタンク５内のインクは、インク供給管６によって各記録ヘッド４に供給されるようになっている。
【００３０】
前記キャリッジ３の主走査方向Ａの両端にはそれぞれ、紫外線照射装置７が搭載されている。この紫外線照射装置７は、記録媒体Ｐに着弾したインクに紫外線を照射する装置であり、記録媒体Ｐに着弾したインクは紫外線の照射により硬化するようになっている。また、紫外線照射装置７の開口した凹部内には、一又は複数の紫外線光源７ａ（図２に図示）が設けられている。
【００３１】
前記紫外線光源７ａは、その長手方向に沿った中心線から紫外線を放射状に照射するものであり、高圧水銀ランプ、低圧水銀ランプ、メタルハライドランプ、ブラックライト、熱陰極管、冷陰極管、ＬＥＤ（Light Emitting Diode）のうちの少なくともいずれか１つが適用される。
【００３２】
また、紫外線照射装置７と、その紫外線照射装置７に隣り合う記録ヘッド４との間には、紫外線照射装置７から照射された紫外線が記録媒体Ｐ等に当たって反射する反射光が、記録ヘッド４のノズル面４ａに当たることを防止する光トラップ８を備えている。
図１及び図２に示すように、一方の光トラップ８は、左端に位置した記録ヘッド４の更に左側においてキャリッジ３に搭載されており、他方の光トラップ８は、右端に位置した記録ヘッド４の更に右側においてキャリッジ３に搭載されている。
【００３３】
本実施の形態の光トラップ８は、副走査方向に沿って延在する長尺な部材であり、その長さは少なくとも紫外線照射装置７の副走査方向に沿った長さと等しくなっている。また、前記光トラップ８は、記録媒体Ｐに向かって開口するような凹型の部材であり、例えば開口した端縁が記録媒体Ｐと略平行となるように配設されている。そして、前記凹型の部材における内面が、紫外線照射装置７から照射された紫外線が記録媒体Ｐ等で反射した反射光を受ける光トラップ８の紫外線受光面となっている。
なお、前記光トラップ８の形状は、光トラップ８の紫外線受光面に紫外線が入射可能な形状であれば良い。
【００３４】
さらに、前記記録ヘッド４のノズル面４ａの近傍、例えば前記光トラップ８と、その光トラップ８に隣り合う記録ヘッド４との間には、照射される紫外線量に応じて変色するＵＶラベル９が貼り付けられている。本実施の形態では、前記ＵＶラベル９として、照射される紫外線量が増加するにつれて白色から赤色に変色していく特性を有する「日油技研工業株式会社製  ＵＶラベル  紫外線インジケータ  品種：Ｓ（超高感度）」が使用されている。また、前記ＵＶラベル９は、ユーザや機器メンテナンスを行う者が視認可能な状態となっている。具体的には、ＵＶラベル９付近のインクジェットプリンタ１の筐体に紫外線をカットするアクリル窓等の窓を設けて内部のＵＶラベル９を外部から視認可能にしたり、ＵＶラベル９付近にミラーを設けて外部から見やすい角度に調整したりする場合が挙げられる。
【００３５】
また、前記記録ヘッド４のノズル面４ａの近傍以外の部位にも、ＵＶラベル９を貼り付けても良い。特に、付着したインクの硬化により画像記録に影響を及ぼす部位、例えばメンテナンスユニット１０、ホームポジション領域Ｂ、インク供給部（インクタンク５やインク供給管６など）等のインクが付着しやすい部位の近傍に、ＵＶラベル９を貼り付けると効果的である。なお、前記ノズル面４ａの近傍以外の部位に貼り付けたＵＶラベル９についても、ユーザや機器メンテナンスを行う者が視認可能な状態となっていると良い。このようになっていると、当該部位に照射された紫外線量がわかりやすいため、問題が生じる前にメンテナンスを行うことができる。
【００３６】
メンテナンス領域Ｄには、記録ヘッド４に対してメンテナンスを行うメンテナンスユニット１０が設けられている。このメンテナンスユニット１０には、記録ヘッド４のノズル面４ａを覆って、ノズル内のインクを吸引するための複数の吸引キャップ１１と、ノズル面４ａに付着したインクを拭き取る清掃ブレード１２と、記録ヘッド４から空吐出されたインクを受けるインク受器１３と、吸引ポンプ１４と、廃インクタンク１５とが設けられている。
【００３７】
吸引キャップ１１は吸引ポンプ１４を介して廃インクタンク１５と連通しており、メンテナンス動作時には上昇して記録ヘッド４のノズル面４ａを覆うようになっている。吸引キャップ１１，１１，…は、上述のように上昇した時に全ての記録ヘッド４のノズル面４ａを覆うことができるよう、各記録ヘッド４に対応するように４個配列されている。
吸引ポンプ１４はシリンダーポンプやチューブポンプを有して構成されていて、吸引キャップ１１がノズル面４ａを覆った状態で作動することにより、吐出口（図示省略）から記録ヘッド４内部のインクを異物とともに吸引するための吸引力を発生するようになっている。
【００３８】
なお、前記メンテナンスユニット１０における清掃ブレード１２の代わりに、記録ヘッド４のノズル面４ａに付着したインクを吸い取る役割を担うインク吸収装置が設けられていても良い。
当該インク吸収装置としては、例えばシート形状のインク吸収体と、インク吸収体を巻回するためにインク吸収体の両端に設けられるロール軸と、２つのロール軸の間のインク吸収体の下面側に設けられて当該インク吸収体を温めるヒータと、ロール軸駆動機構等により構成されるものが挙げられる。
【００３９】
ホームポジション領域Ｂには、記録ヘッド４を保湿する保湿ユニット１６が設けられている。保湿ユニット１６には、記録ヘッド４が待機状態にあるとき、ノズル面４ａを覆うことで記録ヘッド４のインクを保湿する４個の保湿キャップ１７が設けられている。これら４個の保湿キャップ１７，１７，…は、４個の記録ヘッド４のノズル面４ａを同時に覆うことができるよう、記録ヘッド４の配列に対応して配列される。
【００４０】
また、キャリッジ３がキャリッジレール２に沿って移動するホームポジション領域Ｂからメンテナンス領域Ｄの間のいずれかの位置に、ＵＶラベル９の色を検出可能なセンサが設けられている。本実施の形態では、ホームポジション領域Ｂの所定位置に、光の反射率を測定する反射センサ１８と赤色ＬＥＤ１９が設けられており、キャリッジ３がホームポジション領域Ｂの当該位置にきた際に、前記赤色ＬＥＤ１９から照射された赤色光ＳがＵＶラベル９で反射し、当該反射光を反射センサ１８で受けて反射率を測定することにより、ＵＶラベル９の変色度合い（濃度）を検出するようになっている。そして、検出したＵＶラベル９の色は後述する制御部に信号として、送信されるようになっている。
【００４１】
次に、図３を参照しつつ本実施形態における制御構成について説明する。
本実施形態において、インクジェットプリンタ１には、図３に示すように、キャリッジ駆動機構３ａ、記録媒体搬送機構２０、記録ヘッド４、紫外線照射装置７、メンテナンスユニット１０等を制御する制御部３０が設けられている。なお、制御部３０は、ＣＰＵ３１、ＲＡＭ３２、ＲＯＭ３３等で構成されており、当該制御部３０はインターフェイス（図示省略）を介してキャリッジ駆動機構３ａ、記録媒体搬送機構２０、記録ヘッド４、紫外線照射装置７、メンテナンスユニット１０、入力部２２、反射センサ１８等と接続されている。
【００４２】
制御部３０は、キャリッジ３を主走査方向Ａに往復移動させるとともに、キャリッジ３の動作に合わせて記録媒体Ｐの搬送と停止とを繰り返し、記録媒体Ｐを間欠的に副走査方向に搬送させるように、キャリッジ駆動機構３ａ及び記録媒体搬送機構２０の動作を制御するようになっている。
また、制御部３０は、紫外線照射装置７から紫外線を発生させるように紫外線照射装置７を制御するようになっている。
【００４３】
さらに、制御部３０には、画像情報を入力するスキャナや画像記録条件を入力するキーボード等からなる入力部２２及び記録ヘッド４が接続されており、制御部３０は、入力部２２から入力された所定の信号に基づいて記録ヘッド４を動作させ、記録媒体Ｐ上にインクを吐出させて所定の画像を記録させるようになっている。
【００４４】
また、制御部３０は、反射センサ１８で検出されたＵＶラベル９の変色度合いに基づき、メンテナンスユニット１０に対して自動的にヘッドメンテナンス動作を行うように制御している。具体的には、ＵＶラベル９は、照射される紫外線量に応じて図４（波長が２５４ｎｍの紫外線の場合）及び図５（波長が３６５ｎｍの紫外線の場合）に示すように、紫外線の波長に関わらず同様に変色する。そこで例えば、インクが３０ｍＪ／ｃｍ2の光量（ＵＶラベル９の濃度が１．５Ｄｅｎとなる光量）の紫外線照射により硬化するものの場合、制御部３０は、ＵＶラベル９の変色度合いが、インクが硬化しない程度における所定の濃度、例えば紫外線照射の光量が２０ｍＪ／ｃｍ2に相当する濃度１．２Ｄｅｎとなったという信号を受信した場合（縦の点線で示すラインに到達した場合）に、メンテナンスユニット１０にヘッドメンテナンス動作を指示するように制御するのである。
なお、本実施の形態では、電源投入から所定時間が経過する毎又は手動操作によってもメンテナンスユニット１０にヘッドメンテナンスを行わせるように制御している。
【００４５】
さらに、制御部３０で、前記記録ヘッド４のノズル面４ａ以外の、付着したインクの硬化により画像記録に影響を及ぼす部位（例えばメンテナンスユニット１０、ホームポジション領域Ｂ、インク供給部（インクタンク５やインク供給管６など）等）の近傍に貼り付けられたＵＶラベル９の変色度合いに応じて、当該部位のメンテナンスを自動的に行うようになっていても良い。
【００４６】
次に、本実施形態に用いられる「インク」について説明する。
本実施形態に用いられるインクは、紫外線の被照射により硬化する紫外線硬化型インクであり、主成分として、重合性化合物（公知の重合性化合物を含む。）、光開始剤及び色材を少なくとも含むものである。
【００４７】
前記紫外線硬化型インクは、重合性化合物として、ラジカル重合性化合物を含むラジカル重合系インクとカチオン重合性化合物を含むカチオン重合系インクとに大別されるけれども、その両系のインクが本実施形態に用いられるインクとしてそれぞれ適用可能であり、ラジカル重合系インクとカチオン重合系インクとを複合させたハイブリッド型インクを本実施形態に用いられるインクとして適用してもよい。ここで、ラジカル重合系インクに比べてカチオン重合系インクは、紫外線に対する感度が高く且つ酸素による重合反応の阻害が少ないためインクの硬化に必要な照度を低減できる。このようなことから本実施形態ではインクとしてカチオン重合系の紫外線硬化型インクを用いている。
【００４８】
なお、カチオン重合系の紫外線硬化型インクは、紫外線エネルギーを蓄積する性質を有しているために紫外線照射でインクが増粘しやすい。そのため、記録ヘッド４のノズル面４ａ等に付着したインクが紫外線照射で硬化しやすいということになるが、前記ＵＶラベル９の変色度合いを監視することにより、ノズル面４ａ等でのインク硬化を防止することができる。また、前記ＵＶラベル９は、カチオン重合系の紫外線硬化型インクと同様に、一旦取り込んだ紫外線エネルギーを放出せずに蓄積する性質があるため、ＵＶラベル９の変色度合いを監視することにより、カチオン重合系の紫外線硬化型インクにおける紫外線の蓄積度合いを正確に把握することができる。
【００４９】
次に、以上のように構成されたインクジェットプリンタ１の動作について説明する。
ユーザが記録媒体Ｐをインクジェットプリンタ１にセッティングし、インクジェットプリンタ１の電源をオン状態とすると、前記紫外線光源７ａが発光して、インク滴が着弾される記録媒体Ｐに向けて紫外線を照射する。
【００５０】
そして、インクジェットプリンタ１の制御部３０に対して、入力部２２から画像情報が送られると共に各種画像記録条件の設定情報が送られると、制御部３０は、画像の記録を開始させ、前記紫外線光源７ａが発光している状態で、記録媒体搬送機構２０が記録媒体Ｐを副走査方向に搬送する。ここで、記録媒体搬送機構２０は搬送及び搬送停止を順に繰り返し、記録媒体Ｐを間欠的に搬送する。
【００５１】
間欠的搬送における停止中にキャリッジ３が走査方向Ａに往動し、復動し又は往復移動する。キャリッジ３の移動に伴って複数の記録ヘッド４もキャリッジ３と一体となって移動するが、これら記録ヘッド４は移動中にノズル面４ａの各吐出口から記録媒体Ｐに向けてインクを液滴として吐出し、飛翔したインク液滴が、停止している記録媒体Ｐに着弾する。
【００５２】
キャリッジ３の移動に伴って２つの紫外線照射装置７もキャリッジ３と一体となって移動するが、記録媒体Ｐに着弾したインクの上を紫外線照射装置Ｐが通過している時に、紫外線光源７ａから発した紫外線が記録媒体Ｐ上のインクに入射する。これによって、インクが硬化する。
【００５３】
以上のように、紫外線光源７ａの発光中に記録媒体搬送機構２０が記録媒体Ｐを間欠的に搬送するとともにキャリッジ３の往復移動が繰り返され、キャリッジ３の移動中に記録ヘッド４が適宜インク滴を吐出することによって、記録媒体Ｐ上に画像が形成される。
【００５４】
このとき、紫外線照射装置７の紫外線光源７ａから発した紫外線が、図２に示す矢印Ｕ１、Ｕ２、Ｕ３のように、記録媒体Ｐに当たって反射してしまうことがある。
このうち、矢印Ｕ１のような角度で反射した紫外線は、前記光トラップ８で吸収されるが、矢印Ｕ２のように光トラップ８を越えて記録ヘッド４のノズル面４ａに当たってしまうものや、矢印Ｕ３のように光トラップ８に当たっても吸収されずにさらに反射を繰り返して記録ヘッド４のノズル面４ａに当たってしまうものもある。
【００５５】
ここで、矢印Ｕ２及び矢印Ｕ３のように記録ヘッド４のノズル面４ａに当たる紫外線が一定量を超えると、ノズル面４ａに付着したインクが硬化してインク吐出に不具合を生じさせてしまう。そのため、制御部３０は、記録ヘッド４のノズル面４ａの近傍に張り付けられたＵＶラベル９の変色度合いを反射センサ１８で所定期間毎に検出して、ＵＶラベル９の変色度合いが所定数値（例えば１．２Ｄｅｎ）に達した場合は、記録ヘッド４のノズル面４ａへ照射された紫外線量が、インクが硬化する一定量（例えば３０ｍＪ／ｃｍ2）に近い所定量（例えば２０ｍＪ／ｃｍ2）に達したとみなして、インクが完全に硬化する前にノズル面４ａに付着したインクを取り除くようにメンテナンスユニット１０にヘッドメンテナンスを行わせる指示を出す。
【００５６】
前記ヘッドメンテナンス時は、制御部３０の制御によって次のような動作が行われる。
まず、制御部３０は、キャリッジ３をメンテナンス領域Ｄにおけるメンテナンスユニット１０の吸引キャップ１１の上方に移動させる。キャリッジ３の記録ヘッド４が対応する吸引キャップ１１の上方に到達したら、メンテナンスユニット１０を上昇させて、吸引キャップ１１を、記録ヘッド４のノズル面４ａを覆うように密着させる。そして、吸引ポンプ１４を作動させて吸引キャップ１１の内部に負圧をかけ、ノズル面４ａの吐出口から記録ヘッド４内部のインクを異物ととも吸引させる。吸引ポンプ１４で吸引したインク等は吸引キャップ１１から配管を通して廃インクタンク１５に貯留される。
吸引終了後、メンテナンスユニット１０を下降させ、ノズル面４ａから吸引キャップ１１を離間させる。
【００５７】
次いで、キャリッジ３をメンテナンスユニット１０の清掃ブレード１２の上方に移動させる。キャリッジ３の記録ヘッド４が清掃ブレード１２の上方に到達したら、当該清掃ブレード１２を記録ヘッド４に向けて上昇させる。前記清掃ブレード１２が記録ヘッド４のノズル面４ａに当接したら、清掃ブレード１２をノズル面４ａの上で動作させることにより、ノズル面４ａに付着したインク、ごみ等を拭き取り、取り除く。その後、メンテナンスユニット１０を下降させ、ノズル面４ａから清掃ブレード１２を離間させる。
【００５８】
なお、清掃ブレード１２の代わりに、インクを吸い取るインク吸収装置が設けられている場合には、次のような動作が行われる。
まず、キャリッジ３をメンテナンスユニット１０のインク吸収装置の上方に移動させる。それから、メンテナンスユニット１０を記録ヘッド４に向けて上昇させる。これにより、２つのロール軸に掛け渡されたインク吸収体が、記録ヘッド４のノズル面４ａに当接する。そして、インク吸収体はノズル面４ａに付着したインクを吸収する。このとき、ヒータでインク吸収体を温めて、よりインクをインク吸収体に吸収しやすくする。その後、メンテナンスユニット１０を下降させ、ノズル面４ａからインク吸収装置を離間させる。また、インク吸収装置では、次回のヘッドメンテナンスに備えて、ロール軸を回転させてインクを吸い取った部分のインク吸収体を巻き取り、インク未吸収の部分のインク吸収体を２つのロール軸の間に配置する。
【００５９】
次に、キャリッジ３をメンテナンスユニット１０のインク受け器１３の上方に移動させる。キャリッジ３の記録ヘッド４がインク受け器１３の上方に到達したら、当該インク受け器１３を記録ヘッド４に向けて上昇させる。前記インク受け器１３が記録ヘッド４のノズル面４ａに対して所定の距離となったら、記録ヘッド４のノズル面４ａに配設された吐出口からインク受け器１３にインクを空吐出させ、正常なメニスカスを形成させる。その後、メンテナンスユニット１０を下降させ、ノズル面４ａからインク受け器１３を離間させる。
これにより記録ヘッド４に対するヘッドメンテナンス動作は終了し、ノズル面４ａのインクが硬化することによる不具合を防止するとともに、記録ヘッド４が画像形成を行うのに良好な状態に整備される。
【００６０】
なお、メンテナンスユニット１０によるヘッドメンテナンスは、前記したようなＵＶラベル９の変色度合いに応じて自動的に行われる場合に限らず、画像記録動作開始から所定時間が経過した場合や、例えばＵＶラベル９の変色度合いをユーザや機器メンテナンスを行う者が視認して手動によるヘッドメンテナンス開始操作を行った場合等にも、ヘッドメンテナンスが行われるようになっている。
【００６１】
以上のように、本実施の形態のインクジェットプリンタによれば、ノズル面近傍に、照射される紫外線量に応じて変色するＵＶラベルを貼り付けたため、ＵＶラベルの変色度合いでノズル面が受けた紫外線量を定量的に把握することができ、これにより、照射された紫外線がインクを完全に硬化させてしまう量になる前に、ヘッドメンテナンスを行って付着したインクを取り除くことができる。
そして、ＵＶラベルの変色度合いでノズル面が受けた紫外線量を定量的に把握することができ、これにより、照射された紫外線がインクを完全に硬化させてしまう量になる前に、ヘッドメンテナンスを行って付着したインクを取り除くことができるため、ノズル面におけるインク硬化を低減させて、正常な画像記録状態を維持することができる。
【００６２】
また、本実施の形態では、ＵＶラベルの色を検出可能なセンサと、センサで検出されたＵＶラベルの色に応じて、自動的にメンテナンスユニットにヘッドメンテナンスを行わせるように制御する制御部とを備えるため、ノズル面が受けた紫外線量が所定量に達すると自動的にヘッドメンテナンスを行い、付着したインクが完全に硬化してしまう前に、確実にインクを取り除くことができる。
そして、ノズル面が受けた紫外線量が所定量に達すると自動的にヘッドメンテナンスを行い、付着したインクが完全に硬化してしまう前に、確実にインクを取り除くことができるため、確実にノズル面におけるインク硬化を低減させて、正常な画像記録状態を維持することができる。
【００６３】
さらに、本実施の形態では、ＵＶラベルが視認可能となっているため、ユーザや機器メンテナンスを行う者が、ノズル面が受けた紫外線量を簡単に把握できるようになっている。これにより、ノズル面が受けた紫外線量が所定量に達したか否かを素早くかつ的確に判断することができ、紫外線量が所定量に達したと判断した場合にはすぐにヘッドメンテナンスを行うように操作すれば、付着したインクが完全に硬化してしまう前にインクを取り除くことができる。
そして、ユーザや機器メンテナンスを行う者が、ノズル面が受けた紫外線量が所定量に達したか否かを素早くかつ的確に判断することができ、紫外線量が所定量に達したと判断した場合にすぐにヘッドメンテナンスを行うように操作することにより付着したインクが完全に硬化してしまう前にインクを取り除くことができるため、手動でもノズル面におけるインク硬化を低減させて、正常な画像記録状態を維持することができる。
【００６４】
またさらに、本実施の形態では、ＵＶラベルを、付着したインクの硬化により画像記録に影響を及ぼすノズル面近傍以外の部位にも貼り付けたため、このような部位においても付着したインクが硬化しないように紫外線照射量を監視することができる。
そして、付着したインクの硬化により画像記録に影響を及ぼすノズル面以外の部位においても付着したインクが硬化しないように紫外線照射量を監視することができるため、さらに確実に正常な画像記録状態を維持することができる。
【００６５】
また、本実施の形態では、紫外線照射装置の紫外線光源として、低圧水銀ランプ、高圧水銀ランプ、メタルハライドランプ、熱陰極管、冷陰極管、ＬＥＤのうちのいずれか１つを用いることができ、インクジェットプリンタの構成等に応じて、種々の紫外線光源を適用可能とすることができる。
そして、インクジェットプリンタの構成等に応じて、種々の紫外線光源を適用可能とすることができるため、汎用性が高くコスト的にも優れたインクジェットプリンタとすることができる。
【００６６】
さらに、本実施の形態では、カチオン硬化性のインクはラジカル硬化性のインクに比べて、紫外線に対する感度が高く且つ酸素による重合反応の阻害が少ないので、記録媒体上に吐出されたインクの硬化に必要な照度を低減させることができる。
そして、カチオン硬化性のインクは低照度の紫外線で硬化することができるので、ドット径の小さい高品質、高精細の記録画像を得ることができる。
【００６７】
なお、本発明は、前記実施の形態に限定されることなく、本発明の趣旨を逸脱しない範囲において、種々の改良並びに設計の変更を行っても良い。
例えば、本実施の形態では、インクジェットプリンタとしてシリアル方式のインクジェットプリンタを用いていたが、本発明はこれに限るものではなく、インクジェットプリンタとしてラインプリンタを用いても良い。
【００６８】
また、本実施形態に用いられるインク（ラジカル重合系インク，カチオン重合系インク及びハイブリッド型インクを含む。）は、前記の通り、紫外線の被照射により硬化するものであるが、必ずしもこれには限定されず、紫外線以外の光の被照射により硬化するものであっても良い。ここでいう「光」とは、広義の光であって、紫外線，電子線，Ｘ線，可視光線，赤外線等の電磁波を含むものである。つまり、本実施形態に用いられるインクには、紫外線以外の光で重合して硬化する重合性化合物と、紫外線以外の光で重合性化合物同士の重合反応を開始させる光開始剤とが適用されてもよい。紫外線以外の光で硬化する光硬化型のインクを本実施形態に用いられるインクとして用いる場合は、図１に示す紫外線照射装置７に代えてその光を照射する光照射装置を適用しなければならない。また、ＵＶラベル９についてもその光の光量に応じて変色するものを適用し、センサ１８等もこれに応じて適宜変更するものとする。
【図面の簡単な説明】
【００６９】
【図１】本発明の一実施形態に係るインクジェットプリンタを示す概略図である。
【図２】記録ヘッド及び紫外線照射装置付近の様子を模式的に示す拡大図である。
【図３】本実施の形態のインクジェットプリンタにおける主要な制御構成を示す制御ブロック図である。
【図４】ＵＶラベルに波長２５４ｎｍの紫外線が照射された場合の紫外線量（光量）とＵＶラベルの変色度合い（濃度）との関係を示すグラフである。
【図５】ＵＶラベルに波長３６５ｎｍの紫外線が照射された場合の紫外線量（光量）とＵＶラベルの変色度合い（濃度）との関係を示すグラフである。
【符号の説明】
【００７０】
１    インクジェットプリンタ
４    記録ヘッド
４ａ  ノズル面
７    紫外線照射装置
７ａ  紫外線光源
９    ＵＶラベル
１０  メンテナンスユニット
１８  反射センサ（センサ）
３０  制御部
Ｐ    記録媒体
【図１】
2005096276.tif 000003
【図２】
2005096276.tif 000004
【図３】
2005096276.tif 000005
【図４】
2005096276.tif 000006
【図５】
2005096276.tif 000007